(57)【要約】【課題】  ＵＶ硬化型インクを剥離させることなく硬化させて、印刷品質を向上させたインクジェットプリンタを提供する。【解決手段】  インクジェットプリンタは、印刷媒体を支持するバキュームテーブルと、バキュームテーブルと上下に対向して配置され、バキュームテーブルに支持された印刷媒体の表面にインクを吐出して付着させる印刷ヘッド６１と、バキュームテーブルと上下に対向して配置され、印刷媒体の表面に付着したインクに紫外線を照射してインクを硬化させるＵＶＬＥＤユニットとを有している。ＵＶＬＥＤユニットは、印刷ヘッド６１によって印刷が行われる解像度が高いほどインクに照射する紫外線の照射強度が小さくなるように、照射強度を制御可能に構成されている。【選択図】図２
2013166395.tif 000002
【特許請求の範囲】
【請求項１】
印刷媒体を支持する媒体支持部材と、
前記媒体支持部材と上下に対向して配置され、前記媒体支持部材に支持された前記印刷媒体に対して相対移動しながら前記印刷媒体の表面にインクを吐出して付着させる印刷ヘッドと、
前記媒体支持部材と上下に対向して配置され、前記印刷ヘッドとともに前記印刷媒体に対して相対移動しながら、前記印刷媒体の表面に付着した前記インクに紫外線を照射して前記インクを硬化させる紫外線照射装置とを有したインクジェットプリンタにおいて、
前記紫外線照射装置は、前記印刷ヘッドによって印刷が行われる解像度が高いほど前記インクに照射する紫外線の照射強度が小さくなるように、前記照射強度を制御可能であることを特徴とするインクジェットプリンタ。
【請求項２】
前記紫外線照射装置は、前記解像度に対応した照射強度となるように前記紫外線照射装置を制御するための制御用データに基づいて、紫外線の照射強度を制御可能であることを特徴とする請求項１に記載のインクジェットプリンタ。
【請求項３】
前記紫外線照射装置は、前記印刷ヘッドが前記印刷媒体に対して相対移動しながら前記印刷媒体の所定領域に前記インクを吐出して付着させる回数であるパス数に応じて前記照射強度を制御可能であることを特徴とする請求項１に記載のインクジェットプリンタ。
【請求項４】
前記紫外線照射装置は、前記解像度および前記パス数に対応した照射強度となるように前記紫外線照射装置を制御するための制御用データに基づいて、紫外線の照射強度を制御可能であることを特徴とする請求項３に記載のインクジェットプリンタ。
【請求項５】
前記紫外線照射装置は、紫外線を照射可能な発光ダイオードを備えて構成され、
前記制御用データは、前記発光ダイオードへの供給電流値であることを特徴とする請求項２または請求項４に記載のインクジェットプリンタ。
【発明の詳細な説明】
【技術分野】
【０００１】
本発明は、印刷媒体にインクを吐出することにより所望の印刷を行うインクジェットプリンタに関し、さらに詳細には、印刷媒体に吐出されたインクを硬化させる紫外線照射装置に関する。
【背景技術】
【０００２】
従来より、プラテン上に載置させた印刷媒体に対して、プラテンと対向して配設された印刷ヘッドを左右に往復移動させながら、ノズルよりインクを吐出させて印刷媒体に所望の印刷を行うインクジェットプリンタが知られている。このようなインクジェットプリンタには、紫外線が照射されることにより硬化する性質を有した紫外線硬化型インク（以下、ＵＶ硬化型インクと称す）を、ノズルから吐出させて印刷媒体に所望の印刷を行うものがある。このＵＶ硬化型インクは耐候性および耐水性に優れているため、印刷が施された印刷物を例えば屋外広告宣伝ビラ等に用いることが可能となり、水溶性インクを用いた場合と比較して印刷物の使用用途が格段に広がる。
【０００３】
ところで、ＵＶ硬化型インクは紫外線が照射されることによって硬化するため、印刷媒体に吐出されたＵＶ硬化型インクを硬化させるための紫外線照射装置が、印刷ヘッドに設けられている。近年、紫外線照射装置における紫外線を発光させる光源として、紫外線発光ダイオード（以下、ＵＶＬＥＤと称する）を用いたインクジェットプリンタが開発されている。ここでＵＶＬＥＤとは、Ｕｌｔｒａ  Ｖｉｏｒｅｔ  Ｌｉｇｈｔ  Ｅｍｉｔｔｉｎｇ  Ｄｉｏｄｅの略である（例えば、特許文献１を参照）。
【０００４】
図７（ａ）および図７（ｂ）に、複数のＵＶＬＥＤ５３０を用いて構成された従来の紫外線照射装置５００を示す。この紫外線照射装置５００は、ＵＶ硬化型インクを吐出する複数のノズルを備えた印刷ヘッド（図示せず）の左右側方に配設され、印刷ヘッドとともに左右に往復移動可能に構成される。また、複数のＵＶＬＥＤ５３０が、内部が中空で半円状に形成されたカバー５２０の内面に沿うように配設されて、下方に位置した印刷媒体５１０の照射対象表面５１１に向けて、紫外線を照射可能となっている。そして、左右に往復移動する印刷ヘッドのノズルから吐出されたＵＶ硬化型インクが、ＵＶＬＥＤ５３０から照射される紫外線によって、順次硬化される構成となっている（例えば、特許文献２を参照）。また、使用する印刷媒体５１０の特性およびＵＶ硬化型インクの特性によって、硬化させるために最適な紫外線の光量（以下、最適光量と称する）は異なっており、使用する印刷媒体５１０およびＵＶ硬化型インクに合わせて、最適光量となるようにＵＶＬＥＤ５３０の出力が調整される（例えば、特許文献３を参照）。
【先行技術文献】
【特許文献】
【０００５】
【特許文献１】特開２００６−２３１７９５号公報
【特許文献２】特開２００４−１８１９４１号公報
【特許文献３】特開２００４−１８１９４３号公報
【発明の概要】
【発明が解決しようとする課題】
【０００６】
しかし、上記のようにしてＵＶＬＥＤ５３０の出力を調整しても、印刷条件（例えば印刷ヘッドの移動速度）等によって、印刷媒体５１０に吐出されるＵＶ硬化型インクの密度が異なり、印刷条件によって最適光量も変化する。そのため、印刷媒体およびＵＶ硬化型インクの特性から求めた最適光量を基に硬化させると、ＵＶ硬化型インクが剥離を起こしたり、または完全には硬化しないこととなり、印刷品質に影響を及ぼす惧れがあった。
【０００７】
以上のような課題に鑑みて、本発明ではＵＶ硬化型インクを剥離させることなく硬化させて、印刷品質を向上させたインクジェットプリンタを提供することを目的とする。
【課題を解決するための手段】
【０００８】
前記課題を解決するために本発明に係るインクジェットプリンタは、印刷媒体を支持する媒体支持部材（例えば、実施形態におけるバキュームテーブル１２ａ）と、前記媒体支持部材と上下に対向して配置され、前記媒体支持部材に支持された印刷媒体の表面にインクを吐出して付着させる印刷ヘッドと、前記媒体支持部材と上下に対向して配置され、印刷媒体の表面に付着したインクに紫外線を照射して前記インクを硬化させる紫外線照射装置（例えば、実施形態におけるＵＶＬＥＤユニット７０）とを有して構成される。前記紫外線照射装置は、印刷媒体の表面に付着したインクの付着密度に応じて前記インクに照射する紫外線の照射強度が制御可能である。
【０００９】
上記構成のインクジェットプリンタにおいて、前記紫外線照射装置は、印刷媒体に付着したインクの付着密度に対応した照射強度の紫外線を照射可能とする制御用データ（例えば、実施形態における設定テーブル群３２）に基づいて、前記印刷媒体の表面に付着した前記インクに照射する紫外線の照射強度が制御可能である構成が好ましい。また、上記構成のインクジェットプリンタにおいて、前記紫外線照射装置は、紫外線を照射可能な発光ダイオードを備えて構成され、前記紫外線照射装置は、印刷媒体に付着したインクの付着密度に対応した照射強度の紫外線を照射可能とする前記発光ダイオードへの供給電流値が示された前記制御用データに基づいて、前記発光ダイオードへの供給電流を制御して前記印刷媒体の表面に付着した前記インクに照射する紫外線の照射強度を制御可能である構成が好ましい。
【発明の効果】
【００１０】
本発明に係るインクジェットプリンタは、紫外線照射装置が、印刷媒体の表面に付着したインクの付着密度に応じてインクに照射する紫外線の照射強度が制御可能に構成されている。よって、本発明に係るインクジェットプリンタによれば、印刷媒体に付着したインクの密度と、紫外線照射装置から照射される紫外線の照射強度との不釣り合い（ミスマッチ）を回避することが可能となる。そのため、印刷媒体に付着したインクに対して過剰な紫外線が照射されて剥離を起こしたり、または、紫外線の照射強度不足によって紫外線硬化型インクが未硬化となる等の硬化不良発生を防止でき、印刷品質を向上させることが可能となる。
【００１１】
紫外線照射装置は、印刷媒体に付着したインクの付着密度に対応した照射強度の紫外線を照射可能とする制御用データに基づいて、印刷媒体の表面に付着したインクに照射する紫外線の照射強度が制御可能である構成が好ましい。このように構成した場合には、紫外線照射装置は、制御用データに基づいて即座に印刷媒体に付着したインクの付着密度に対応した照射強度の紫外線を照射可能となり、より一層印刷品質を向上させることが可能となる。
【００１２】
紫外線照射装置は、紫外線を照射可能な発光ダイオードを備えて構成され、この紫外線照射装置は、印刷媒体に付着したインクの付着密度に対応した照射強度の紫外線を照射可能とする発光ダイオードへの供給電流値が示された制御用データに基づいて、発光ダイオードへの供給電流を制御して紫外線の照射強度を制御可能である構成が好ましい。このように構成した場合には、供給電流を変化させることによって紫外線の照射強度を連続的に且つ即座に調整することが可能となっている。よって、発光ダイオードに対して供給電流を制御することにより、効率良く照射強度の制御を行うことができ、一層印刷品質を向上させることが可能となる。
【図面の簡単な説明】
【００１３】
【図１】本発明に係るインクジェットプリンタを示した斜視図である。
【図２】コントロールユニットの構成を示したブロック図である。
【図３】印刷パターンの一例を示した図である。
【図４】対応テーブルの一例を示した図である。
【図５】ＵＶＬＥＤモジュールにおける電流値と光量との関係の一例を示したグラフである。
【図６】ＵＶＬＥＤモジュールの紫外線光量が制御されるまでの流れを示したフローチャートである。
【図７】（ａ）は従来の紫外線照射装置を示した斜視図であり、（ｂ）は図７（ａ）中のＶＩＩ（ｂ）−ＶＩＩ（ｂ）部分を示した側断面図である。
【発明を実施するための形態】
【００１４】
以下、図面を参照しながら本発明の好ましい実施形態について説明する。本発明を適用したインクジェットプリンタの一例として、テーブル上に固定保持された印刷媒体に対して印刷ヘッドを水平面内の直交二軸（Ｘ軸−Ｙ軸）方向に移動させて印刷媒体に対して所望の印刷を行う、インクジェットプリンタ１を斜め前方から見た斜視図を図１に示す。なお、説明の便宜上、矢印の方向をそれぞれ前後、左右および上下と称して説明する。
【００１５】
インクジェットプリンタ１は、下部において土台部分を構成する支持部１０、および支持部１０の上方に移動自在となって配設された印刷部５０から構成されている。
【００１６】
支持部１０は、本体フレーム１１、支持テーブル１２、真空ブロア１３およびコントロールユニット２０を主体に構成される。本体フレーム１１は、その上方に載置されて固定された支持テーブル１２を水平に支持するとともに、各機構の取り付けベースとなっている。支持テーブル１２は、平面視矩形状に形成されておりその中央部分には、平板状の印刷媒体２を載置して固定保持するバキュームテーブル１２ａが形成されている。バキュームテーブル１２ａの表面には、上下に貫通する微細な空気孔が多数形成されており、これらの空気孔はバキュームテーブル１２ａの下面側に設けられた減圧室（図示せず）と連通している。また、支持テーブル１２の左右側端面には前後に延びるガイド溝１２ｂ，１２ｂが形成され、後述する印刷部５０に形成された前後ガイド５１ａ，５１ａと嵌合している。
【００１７】
真空ブロア１３は、減圧室と連通しており減圧室内の空気を排気して負圧に設定し、または減圧室に空気を送り込み空気孔から吐出させる。印刷媒体２をバキュームテーブル１２ａ上の原点位置に載置して、真空ブロア１３により減圧室が負圧に設定され、印刷媒体２がバキュームテーブル１２ａ表面に真空吸着されて固定保持される。また、印刷媒体２に対する所望の印刷が終了して、バキュームテーブル１２ａから印刷媒体２を取り除く際は、空気を減圧室に送り込むとともに空気孔から吐出させることによって、印刷媒体２を浮かせて簡単に取り除くことができる。
【００１８】
印刷部５０は、基部５１、ガイドレール５２，５２および印刷ユニット６０を主体に構成される。基部５１は、左右に延びた略直方体となっており、左右端部近傍に形成された前後ガイド５１ａ，５１ａがガイド溝１２ｂ，１２ｂと嵌合し、支持テーブル１２の上方を跨いで前後にスライド移動自在に支持される。ガイドレール５２，５２は、上下一対となって左右に延びるとともに基部５１の前面に形成されている。印刷ユニット６０は、後部にガイドレール５２，５２と嵌合可能な左右ガイド（図示せず）が形成された印刷ヘッド６１、および印刷ヘッド６１の左右両端に固定されたＵＶＬＥＤユニット７０，７０から構成される。
【００１９】
印刷ヘッド６１の内部には、ＵＶ硬化型インクを下方に向けて吐出可能なノズル（図示せず）が複数配設されている。また、印刷ヘッド６１の左右ガイドとガイドレール５２，５２とが嵌合し、印刷ユニット６０がバキュームテーブル１２ａの上方を左右にスライド移動自在に支持される。なお、基部５１を前後にスライド移動制御させる前後駆動機構、および印刷ユニット６０を左右にスライド移動制御させる左右駆動機構については、種々の周知技術を用いることが可能であり、本明細書では説明を省略する。
【００２０】
ＵＶＬＥＤユニット７０は、内部にＵＶＬＥＤモジュール（図示せず）が複数配設されているとともに、外部がカバー（図示せず）で覆われて構成されている。ＵＶＬＥＤモジュールは、電圧印加されることにより２つの半導体の接触面において紫外線を発光するＵＶＬＥＤチップ（図示せず）、およびＵＶＬＥＤチップから発光された紫外線を下方に向けて所定の放射角度で照射する光学レンズ（図示せず）を主体に構成されている。また、ＵＶＬＥＤモジュールは、ＵＶＬＥＤチップに供給される電流の電流値が制御されることによって、紫外線の照射強度を任意に変化させることができる構成となっている。
【００２１】
コントロールユニット２０は、支持テーブル１２の前端部に設置されており、図２に示すようにタッチパネル２１、停止ボタン２２、メモリ３０および制御部４０を主体に構成される。タッチパネル２１は、コントロールユニット２０の上面部に配置されており、作業者がタッチすることによってインクジェットプリンタ１の作動を操作することが可能となっており、また、インクジェットプリンタ１の稼動状況等も表示可能となっている。停止ボタン２２は、コントロールユニット２０の上面部に配置されており、押圧操作されることによってその信号が制御部４０に入力されて、インクジェットプリンタ１の作動を停止させることが可能となっている。メモリ３０には、例えば、後述する一覧表データ群３１および設定テーブル群３２等の印刷に関する各データが記憶されており、必要に応じて読み出すことが可能となっている。
【００２２】
一覧表データ群３１には、印刷に用いられる印刷媒体２の種類およびＵＶ硬化型インクの種類に対応した、複数の印刷パターンが予め記憶されている。上記印刷パターンの一例である印刷パターン３１ａを図３に示しており、印刷パターン３１ａは、ｄｐｉ（ｄｏｔ  ｐｅｒ  ｉｎｃｈ）値で表示された解像度とｐａｓｓ数（印刷媒体２上の同一点を印刷ヘッド６１が通過する回数）との組み合わせを設定している。例えば、６００ｄｐｉの解像度の印刷を行う場合、４，８，１６のいずれかのｐａｓｓ数を選択可能となっていることを示しており、ｐａｓｓ数が大きくなると印刷に要する時間は長くなるが印刷品質が向上する。なお、オペレータは、上記解像度とｐａｓｓ数との組み合わせの中から、所望の１つの組み合わせを選択する。
【００２３】
設定テーブル群３２には、印刷が行われる解像度およびパス数に応じて、ＵＶＬＥＤモジュールから照射される紫外線が最適光量となる、ＵＶＬＥＤチップに対する電流値が予め設定された対応テーブルが複数記憶されている。また、設定テーブル群３２には、一覧表データ群３１に記憶されている複数の印刷パターンに対応しており、上記対応テーブルの一例である対応テーブル３２ａを図４に示す。ここで、対応テーブル３２ａに示す電流値ａ１からａ９の決定方法を、図５を用いて説明する。図５のグラフ３３ｂは、６００ｄｐｉ−１６ｐａｓｓ（図４に示す対応テーブルデータ３２ｂ）のとき、ＵＶＬＥＤチップに対する電流値（Ａ）と照射される紫外線の光量（ｍＪ／ｃｍ2）との関係を示す。またグラフ３３ｃは、１２００ｄｐｉ−１６ｐａｓｓ（対応テーブルデータ３２ｃ）の場合である。高解像度（印刷媒体２に付着したインクの密度が高い）の印刷を施す場合には、印刷ヘッド６１の左右への移動速度は遅く設定されるため、ＵＶＬＥＤモジュールから同一強度の紫外線が照射されていても、印刷媒体２に照射される紫外線の（積算）光量が変化する。
【００２４】
図５には、印刷媒体２の種類およびＵＶ硬化型インクの種類から、最適光量が例えばおよそ２０００ｍＪ／ｃｍ2となる場合を示しており、ＵＶＬＥＤモジュールに対する電流値をａ８Ａと設定すると、点Ａにおいてグラフ３３ｃは光量がおよそ２０００ｍＪ／ｃｍ2（最適光量域Ｍの範囲）となり、ＵＶ硬化型インクを剥離させることなく十分に硬化させることができる。しかし、点Ａ´においてグラフ３３ｂは光量がおよそ１０００ｍＪ／ｃｍ2（光量不足域Ｌの範囲）となり、ＵＶ硬化型インクは完全に硬化できず硬化不良を生じる。また、ＵＶＬＥＤモジュールに対する電流値をａ６Ａとすると、点Ｂ´においてグラフ３３ｃは光量がおよそ４０００ｍＪ／ｃｍ2（光量過剰域Ｕの範囲）となって、ＵＶ硬化型インクインクが剥離を起こす。点Ｂにおいてグラフ３３ｂは、光量がおよそ２０００ｍＪ／ｃｍ2（最適光量Ｍの範囲）となり、十分に硬化させることができる。このようにして、図４の対応テーブルデータ３２ｂの電流値ａ６、および対応テーブルデータ３２ｃの電流値ａ８が決定されている。同様に、図４に示す各印刷パターンに対して、ＵＶＬＥＤモジュールから照射される紫外線が最適光量となるように各電流値が設定されている。
【００２５】
制御部４０は、パターン設定部４１および電流制御部４２を主体に構成され、図２に示すように、タッチパネル２１、停止ボタン２２、メモリ３０、ＵＶＬＥＤモジュールおよび印刷ヘッド６１等と接続されている。パターン設定部４１は、例えばタッチパネル２１を介して入力された、印刷媒体２およびＵＶ硬化型インクの種類に該当する印刷パターンを、一覧表データ群３１内に予め記憶されている、複数の印刷パターンの中から検索する。そして、一覧表データ群３１から該当する印刷パターンを読み出して、タッチパネル２１に表示させる。電流制御部４２は、印刷媒体２およびＵＶ硬化型インクの種類に該当する対応テーブルを設定テーブル群３２の中から読み出し、オペレータの選択した解像度およびｐａｓｓ数に対応したＵＶＬＥＤモジュールに対する電流値を、読み出した対応テーブルを参照して決定する。そして、ＵＶＬＥＤモジュールに供給される電流の電流値を、上記決定された電流値となるように制御する。
【００２６】
以上ここまでは、インクジェットプリンタ１の各構成部材について説明したが、以下において、印刷時における各構成部材の作動について説明する。
【００２７】
バキュームテーブル１２ａ上に印刷媒体２を載置して固定保持し、印刷ユニット６０を印刷媒体２の後端（または前端）に移動させる。そして、印刷ユニット６０は、左右駆動機構により左右に往復移動されると同時に、印刷ヘッド６１のノズルから印刷媒体２に向けてＵＶ硬化型インクが吐出される。例えば、印刷ユニット６０が左方へ移動しているときには、左右２つのＵＶＬＥＤユニット７０のうち、印刷ヘッド６１の右側面に固定されたＵＶＬＥＤユニット７０のみが稼動して紫外線を照射し、印刷媒体２に吐出されたＵＶ硬化型インクを硬化させる。また、印刷ユニット６０が右方へ移動しているときには、左右２つのＵＶＬＥＤユニット７０のうち、印刷ヘッド６１の左側面に固定されたＵＶＬＥＤユニット７０のみが稼動して紫外線を照射し、印刷媒体２に吐出されたＵＶ硬化型インクを硬化させる。さらに、左右２つのＵＶＬＥＤユニット７０の出力を制御して、比較的小さな出力の紫外線によってＵＶ硬化型インクをにじまない程度に硬化（仮硬化）させた後、大きな出力の紫外線によって完全に硬化（本硬化）させる、２段階硬化を行う構成となっている。このように、印刷ユニット６０は左右に往復移動するとともに、前後駆動機構によって前後に移動されることによって、印刷媒体２に所望の印刷が行われる。
【００２８】
以上ここまでは、印刷時における各構成部材の作動について説明したが、以下において、硬化不良を発生させることなくＵＶ硬化型インクを硬化させる本発明の特徴構成を、図６に示すフローチャートを参照しながら説明する。
【００２９】
ステップ１において、オペレータがタッチパネル２１をタッチすることにより、印刷に用いる印刷媒体２およびＵＶ硬化型インクの種類に関する情報を入力した後、パターン設定部４１は、この情報に対応する印刷パターンを一覧表データ群３１の中から検索する。そして、上記情報に対応する印刷パターンとして、例えば印刷モード３１ａが選択されて一覧表データ群３１の中から読み出される。
【００３０】
ステップ２に進み、パターン設定部４１は、ステップ１において読み出した印刷パターン３１ａを、図３に示すような表形式の状態でタッチパネル２１に表示する。
【００３１】
ステップ３に進み、オペレータは、タッチパネル２１に表示された印刷パターン３１ａを見て、例えば印刷完了までにかかる時間および印刷品質等を考慮して、所望の解像度およびｐａｓｓ数の組み合わせを選択する。ここで、オペレータが、タッチパネル２１におけるその表示部分（格子部分）をタッチすることによって決定される。そして、オペレータによって、例えば図３に示すパターン３１ｂ（６００ｄｐｉ−１６ｐａｓｓ）が選択される。
【００３２】
ステップ４に進み、電流制御部４２はステップ１において入力された、印刷に用いる印刷媒体２およびＵＶ硬化型インクの種類に関する情報に対応する対応テーブルを、設定テーブル群３２の中から検索する。そして、上記情報に対応する対応テーブルとして、例えば対応テーブル３２ａが選択され読み出される。
【００３３】
ステップ５に進み、電流制御部４２は、読み出された対応テーブル３２ａを参照して、ステップ３において選択されたパターン３１ｂに対応する、ＵＶＬＥＤモジュールに対する電流値をａ６と決定する。その後、ＵＶＬＥＤモジュールは電流制御部４２によって、供給される電流値がａ６に制御されることにより、印刷媒体２に付着したＵＶ硬化型インクの付着密度に対応した最適光量となった紫外線が、ＵＶＬＥＤモジュールから照射されるようになり、このフローは終了する。
【００３４】
ここで本発明に係るインクジェットプリンタ１の効果について簡単にまとめると、第１に、印刷媒体２に付着したＵＶ硬化型インクの付着密度に対応した最適光量となった紫外線が、ＵＶＬＥＤモジュールから照射可能となっており、硬化不良を生じさせることなくＵＶ硬化型インクを硬化可能である。ここで、ＵＶ硬化型インクの付着密度に大きく関与する解像度およびｐａｓｓ数を基に、ＵＶＬＥＤモジュールに供給される電流値を決定するようになっており、よって、上記付着密度にＵＶＬＥＤモジュールから照射される紫外線の光量を高精度に対応させることができ、印刷品質を向上させることが可能である。
【００３５】
第２に、選択可能な解像度およびｐａｓｓ数の組み合わせに対応した、最適光量となるＵＶＬＥＤモジュールに対する電流値が、対応テーブル内にそれぞれ設定されている。そして、ＵＶＬＥＤモジュールから照射される紫外線の光量制御が、対応テーブルを参照して対応する電流値を読み取り、読み取った電流値となるようにＵＶＬＥＤモジュールを電気的に制御することにより行われる。よって、複雑な演算等を行うことなく紫外線の光量制御が可能となり、簡易な制御構成でありながら所望の照射光量（照射強度）となるように高精度に光量制御ができる。
【００３６】
上述の実施例において、解像度およびｐａｓｓ数よりＵＶＬＥＤモジュールの電流値を決定する構成となっているが（図４を参照）、この構成に限定されない。例えば、ＵＶ硬化型インクを吐出するノズルの種類、および印刷ヘッド６１の左右への移動速度等を電流値を決定する因子として加えることにより、より細かに印刷媒体２に付着したＵＶ硬化型インクの付着密度を検出することが可能となり、印刷品質をさらに向上させることが可能である。
【００３７】
上述の実施例において、バキュームテーブル１２ａ上に固定保持された平板状の印刷媒体２に印刷を行う構成となっているが、この構成に限定されず、例えば、送り出し機構および巻き取り機構を設けることにより、シート状の印刷媒体に対しても印刷可能となる。
【００３８】
上述の実施例において、バキュームテーブル１２ａ上に固定保持された印刷媒体２に印刷を行う構成（いわゆるフラットベッド）となっているが、この構成に限定されず、本発明はシート状の印刷媒体をプラテン上に搬送させながら印刷を行う、インクジェットプリンタにも適用可能である。
【００３９】
本願発明は、上述の実施形態に限定して解釈されるものではない。例えば、上述の実施例において、印刷ユニット６０の左右へのスライド速度を高速モードと普通モードとに区別することなく説明したが、モード切替可能に構成しても良い。この場合、オペレータが解像度およびｐａｓｓ数を選択した後、高速モードまたは普通モードを選択できるようにプログラミングしておけば良い。
【符号の説明】
【００４０】
１  インクジェットプリンタ
２  印刷媒体
１２ａ  バキュームテーブル（媒体支持部材）
３２  設定テーブル群（制御用データ）
６１  印刷ヘッド
７０  ＵＶＬＥＤユニット（紫外線照射装置）
【図１】
2013166395.tif 000003
【図２】
2013166395.tif 000004
【図３】
2013166395.tif 000005
【図４】
2013166395.tif 000006
【図５】
2013166395.tif 000007
【図６】
2013166395.tif 000008
【図７】
2013166395.tif 000009